(57)【要約】【課題】簡単な操作で録画予約を行うことができるようにする。【解決手段】　ＡＶセンタ１により受信された映像信号に重畳された番組表データが、内蔵するＣＲＴモニタに供給され、所定の番組表が表示される。また、ＣＲＴモニタに表示された番組表には、所定のカーソルが表示される。図示せぬリモコンによりカーソルを所望の番組の位置に移動させ、その番組の録画予約を指示すると、ＴＶ１より録画予約された番組のチャンネル番号、放送日、放送開始時刻、および放送終了時刻が、ＡＶバス９を介して例えば第１ＶＴＲ２に送信される。第１ＶＴＲ２は、この信号に従って録画予約を行う。【選択図】図２
2004135356.tif 000002
【特許請求の範囲】
【請求項１】
　所定のセンタより通信回線を介して送信される映像音声信号を受信する受信手段と、
　前記映像音声信号に含まれる番組表データを抽出する抽出手段と、
　前記抽出手段により抽出された前記番組表データをＯＳＤ表示するＯＳＤ表示手段と、
　前記ＯＳＤ表示手段により表示された前記番組表データに基づいて、所定の番組を選択する番組選択手段と、
　前記番組選択手段により選択された前記番組を、所定の録画機器に録画予約させる予約手段と
　を備えることを特徴とするＡＶシステム。
【請求項２】
　前記通信回線は、ＣＡＴＶ回線または電波である
　ことを特徴とする請求項１に記載のＡＶシステム。
【請求項３】
　前記抽出手段は、前記センタより送信される映像音声信号の垂直帰線消去期間に重畳された前記番組表データを抽出する
　ことを特徴とする請求項１または２に記載のＡＶシステム。
【請求項４】
　前記予約手段は、前記抽出手段により抽出された前記番組表データを、前記録画機器にＡＶバスを介して送信する
　ことを特徴とする請求項１乃至３のいずれかに記載のＡＶシステム。
【請求項５】
　前記録画機器はＶＴＲであり、前記ＶＴＲにセットされたビデオテープが爪折れの状態であるか否かを判定する判定手段
　をさらに備えることを特徴とする請求項１乃至４のいずれかに記載のＡＶシステム。
【請求項６】
　前記予約手段により録画予約された複数の番組の中で、スクランブルされた番組が、同一時刻に重複して録画予約されているか否かを判定する重複判定手段
　をさらに備えることを特徴とする請求項１乃至５のいずれかに記載のＡＶシステム。
【請求項７】
　前記受信手段により受信された、前記センタより送信される複数のカメラアングルに対応する映像の少なくともいずれか１つを選択するカメラ選択手段
　をさらに備えることを特徴とする請求項１乃至６のいずれかに記載のＡＶシステム。
【請求項８】
　前記受信手段により受信された、前記センタより送信される所定の映像に対応する信号またはテレテキスト形式で送信される文字若しくは図形に対応する信号に基づいて、前記センタにＣＡＴＶ回線または電話回線を介して、所定のキー入力情報を送信する送信手段
　をさらに備えることを特徴とする請求項１乃至７のいずれかに記載のＡＶシステム。
【請求項９】
　所定の記録媒体に記録された番組表データを読み出す読み出し手段
　をさらに備えることを特徴とする請求項１乃至８のいずれかに記載のＡＶシステム。
【請求項１０】
　前記読み出し手段は、予め所定の記録媒体に記録された番組特定番号の情報を読み出し、
　前記ＯＳＤ表示手段は、前記番組特定番号の情報をＯＳＤ表示し、
　前記番組選択手段は、前記番組特定番号の情報の中から所定のものを選択する
　ことを特徴とする請求項９に記載のＡＶシステム。
【請求項１１】
　前記記録媒体は、フロッピディスク、ＣＤ−ＲＯＭ、オーディオテープ、またはミニディスクである
　ことを特徴とする請求項９または１０に記載のＡＶシステム。
【発明の詳細な説明】
【技術分野】
【０００１】
　本発明は、録画予約を行う際に用いて好適なＡＶシステムに関する。
【背景技術】
【０００２】
　従来、録画予約を行う場合、リモコンを操作してチャンネル番号、放送日、放送開始時刻、および放送終了時刻をキー入力する。
【０００３】
　また、例えば、ドイツにおいて実施されているＶＰＳ（Ｖｉｄｅｏ　Ｐｒｏｇｒａｍ　Ｓｙｓｔｅｍ）と呼ばれる放送サービスにおいては、放送局から、映像信号とともにその垂直帰線消去期間に番組開始時刻に関する情報が送信される。この情報により、ＶＴＲ等の録画機器は、例えば、野球中継が延長されるなどして、それ以降の番組の放送開始時刻が変更されたことを認識することができる。これにより、ＶＴＲは変更された放送開始時刻から、録画を開始することが可能になる。
【０００４】
　また、ジェムスター社のビデオプラスと呼ばれる機能は、リモコンパッドにより、新聞等の各番組表の各番組毎に設けられた所定の番号を入力することにより、録画予約ができるものである。即ち、リモコンパッドにより所定の番組に対応する番号を入力すると、リモコンパッドは、入力された番号から予約された番組のチャンネル番号、放送日、放送開始時刻、および放送終了時刻を認識し、放送開始時刻になると、赤外線等によりＶＴＲに対して、録画を開始するよう指令する。この指令を受けたＶＴＲは、録画動作を開始する。
【０００５】
　また、従来、ＶＩＤＥＯＴＥＸまたはパソコン通信による通信販売においては、通信販売会社から送られてくる情報は、文字が主体であり、画像情報が送られてくる場合であっても、グラフィックスによる静止画である。
【０００６】
　また、衛星を介して、通信販売会社からの映像をポイントツーポイントにより受信するようなシステムがある。
【０００７】
　また、所定の通信販売会社から例えば電話回線等によりオンラインで送信される文字データおよびＬＤ（レーザディスク）に記録された所定の映像を読み出すための制御信号を受信し、それに基づいて、所定の文字を画面に表示するとともに、それに関係する所定の映像をＬＤＰ（レーザディスクプレーヤ）により、ＬＤよりオフラインで読み出し、画面に表示するシステムがある。
【発明の開示】
【発明が解決しようとする課題】
【０００８】
　このように、従来、番組の録画予約を行う場合、リモコンパッド等により、番組が放送されるチャンネル番号、放送日、放送開始時刻、および放送終了時刻をキー入力しなければならず、比較的操作が面倒である課題があった。
【０００９】
　また、ビデオプラスにより番組の録画予約を行う場合においても、録画予約する番組に対応する番号をキー入力しなければならず、比較的操作が面倒である課題があった。
【００１０】
　また、衛星を使用したポイントツーポイントの通信販売サービスにおいては、複数の顧客に対して同時にサービスを提供することができない課題があった。
【００１１】
　また、従来、通信販売会社より送信される商品に関する情報は、文字が主体であり、商品に関する詳しい知識を得ることができない課題があった。
【００１２】
　さらに、所定の通信販売会社から電話回線等によりオンラインで送信される文字データおよびＬＤに記録された所定の映像を読み出すための制御信号を受信し、それに基づいて、所定の文字を画面に表示するとともに、それに関係する所定の映像をＬＤＰにより、ＬＤよりオフラインで読み出し、画面に表示するようなシステムの場合、ＬＤを定期的に更新しなければならず、コストがかかり、煩わしい課題があった。
【００１３】
　本発明はこのような状況に鑑みてなされたものであり、比較的簡単な操作で、番組の録画予約をすることができるようにするものである。また、文字情報だけでなく映像情報も受信可能にし、低コストで、詳細な商品情報を得ることができるようにするものである。
【課題を解決するための手段】
【００１４】
　請求項１に記載のＡＶシステムは、所定のセンタより通信回線を介して送信される映像音声信号を受信する受信手段（例えば図４のチューナ１）と、映像音声信号に含まれる番組表データを抽出する抽出手段（例えば図４のＶ区間（垂直帰線消去期間）データ処理回路５）と、抽出手段により抽出された番組表データをＯＳＤ表示するＯＳＤ表示手段（例えば図４のビデオ信号処理回路４）と、ＯＳＤ表示手段により表示された番組表データに基づいて、所定の番組を選択する番組選択手段（例えば図４のリモコン１２）と、番組選択手段により選択された番組を、所定の録画機器に録画予約させる予約手段（例えば図４のマイコン８）とを備えることを特徴とする。
【００１５】
　通信回線は、ＣＡＴＶ回線または電波とすることができる。
【００１６】
　また、抽出手段は、センタより送信される映像音声信号の垂直帰線消去期間に重畳された番組表データを抽出するようにすることができる。
【００１７】
　また、予約手段は、抽出手段により抽出された番組表データを、録画機器にＡＶバスを介して送信するようにすることができる。
【００１８】
　また、録画機器はＶＴＲであり、ＶＴＲにセットされたビデオテープが爪折れの状態であるか否かを判定する判定手段（例えば図４のマイコン８）をさらに設けるようにすることができる。
【００１９】
　また、予約手段により予約された複数の番組の中で、スクランブルされた番組が同一時刻に重複して録画予約されているか否かを判定する重複判定手段（例えば図４のマイコン８）をさらに設けるようにすることができる。
【００２０】
　また、受信手段により受信された、センタより送信される複数のカメラアングルに対応する映像の少なくともいずれか１つを選択するカメラ選択手段（例えば図４のリモコン１２）をさらに設けるようにすることができる。
【００２１】
　また、受信手段により受信された、センタより送信される所定の映像に対応する信号またはテレテキスト形式で送信される文字若しくは図形に対応する信号に基づいて、センタにＣＡＴＶ回線または電話回線を介して、所定のキー入力情報を送信する送信手段（例えば図１２または図１３の送信部５３）をさらに設けるようにすることができる。
【００２２】
　また、所定の記録媒体に記録された番組表データを読み出す読み出し手段（例えば図４のＣＤ−ＲＯＭ読み取り装置２３）をさらに設けるようにすることができる。
【００２３】
　また、読み出し手段は、予め所定の記録媒体に記録された番組特定番号の情報を読み出し、ＯＳＤ表示手段は、番組特定番号の情報をＯＳＤ表示し、番組選択手段は、番組特定番号の情報の中から所定のものを選択するようにすることができる。
【００２４】
　さらに、記録媒体は、フロッピディスク、ＣＤ−ＲＯＭ、オーディオテープ、またはミニディスクとすることができる。
【００２５】
　請求項１に記載のＡＶシステムにおいては、チューナ１により、所定のセンタより通信回線を介して送信される映像音声信号を受信し、Ｖ区間データ処理回路５により映像音声信号に含まれる番組表データを抽出する。また、ビデオ信号処理回路４により、Ｖ区間データ処理回路５により抽出された番組表データをＯＳＤ表示する。さらに、リモコン１２により、ビデオ信号処理回路４により表示された番組表データに基づいて、所定の番組を選択し、マイコン８により、リモコン１２により選択された番組を、所定の録画機器に録画予約させる。従って、簡単な操作で録画予約を行うことができる。
【００２６】
　請求項２に記載のＡＶシステムにおいては、通信回線は、ＣＡＴＶ回線または電波とした。従って、ＣＡＴＶ、地上放送、衛星放送などに適用可能である。
【００２７】
　請求項３に記載のＡＶシステムにおいては、Ｖ区間データ処理回路５により、センタより送信される映像音声信号の垂直帰線消去期間に重畳された番組表データが抽出される。従って、通信回線の有効利用が可能になる。
【００２８】
　請求項４に記載のＡＶシステムにおいては、マイコン８は、Ｖ区間データ処理回路５により抽出された番組表データを、録画機器にＡＶバスを介して送信する。従って、録画機器はその番組表データを利用することができる。
【００２９】
　請求項５に記載のＡＶシステムにおいては、録画機器はＶＴＲであり、マイコン８により、ＶＴＲにセットされたビデオテープが爪折れの状態であるか否かが判定される。従って、録画予約された際に爪折れのビデオテープがＶＴＲに挿入されていれば、ユーザに警告することができる。
【００３０】
　請求項６に記載のＡＶシステムにおいては、マイコン８により、録画予約された複数の番組の中で、スクランブルされた番組が同一時刻に重複して予約されているか否かが判定される。従って、録画予約された番組を確実に録画することができる。
【００３１】
　請求項７に記載のＡＶシステムにおいては、リモコン１２により、チューナ１により受信された、センタより送信される複数のカメラアングルに対応する映像の少なくともいずれか１つが選択される。従って、様々なカメラアングルの映像を鑑賞することができる。
【００３２】
　請求項８に記載のＡＶシステムにおいては、受信手段により受信された、センタより送信される所定の映像に対応する信号またはテレテキスト形式で送信される文字若しくは図形に対応する信号に基づいて、センタにＣＡＴＶ回線または電話回線を介して、所定のキー入力情報を送信する送信手段（例えば図１３の送信部５３）をさらに設けるようにすることができる。従って、センタとの間で、双方向のデータの送受信を行うことができる。
【００３３】
　請求項９に記載のＡＶシステムにおいては、ＣＤ−ＲＯＭ読み取り装置２３により、所定の記録媒体に記録された番組表データを読み出すことができる。従って、読み出した番組表データに基づいて、番組の予約等を行うことができる。
【００３４】
　請求項１０に記載のＡＶシステムにおいては、ＣＤ−ＲＯＭ読み取り装置２３により、予め所定の記録媒体に記録された番組特定番号の情報が読み出され、ビデオ信号処理回路４により、番組特定番号の情報がＯＳＤ表示され、リモコン１２により、番組特定番号の情報の中から所定のものが選択される。従って、簡単な操作で、番組特定番号による録画予約を行うことができる。
【００３５】
　請求項１１に記載のＡＶシステムにおいては、記録媒体を、フロッピディスク、ＣＤ−ＲＯＭ、オーディオテープ、またはミニディスクとすることができる。従って、様々な記録媒体に番組表データを記録することができる。
【発明の効果】
【００３６】
　請求項１に記載のＡＶシステムによれば、受信手段により、所定のセンタより通信回線を介して送信される映像音声信号が受信され、抽出手段により、映像音声信号に含まれる番組表データが抽出される。この番組表データは、ＯＳＤ表示手段によりＯＳＤ表示され、ＯＳＤ表示された番組表データに基づいて、番組選択手段により所定の番組が選択される。さらに、番組選択手段により選択された番組が、予約手段により所定の録画機器に録画予約されるようにしたので、簡単な操作で録画予約を行うことができる。
【００３７】
　請求項２に記載のＡＶシステムによれば、通信回線は、ＣＡＴＶ回線または電波とすることができるようにしたので、ＣＡＴＶ、地上放送、衛星放送などに適用可能である。
【００３８】
　請求項３に記載のＡＶシステムによれば、抽出手段は、センタより送信される映像音声信号の垂直帰線消去期間に重畳された番組表データを抽出するようにしたので、通信回線の有効利用が可能になる。
【００３９】
　請求項４に記載のＡＶシステムによれば、抽出手段により抽出された番組表データが、予約手段により、録画機器にＡＶバスを介して送信されるようにしたので、録画機器はその番組表データを利用することができる。
【００４０】
　請求項５に記載のＡＶシステムによれば、録画機器はＶＴＲであり、判定手段により、ＶＴＲにセットされたビデオテープが爪折れの状態であるか否かが判定されるようにしたので、録画予約された際に爪折れのビデオテープがＶＴＲに挿入されていれば、ユーザに警告することができる。従って、録画予約された番組が確実に録画されるようにすることができる。
【００４１】
　請求項６に記載のＡＶシステムによれば、重複判定手段により、予約手段により予約された複数の番組の中で、スクランブルされた番組が同一時刻に重複して録画予約されているか否かが判定されるようにしたので、録画予約された番組を確実に録画することができる。
【００４２】
　請求項７に記載のＡＶシステムによれば、カメラ選択手段により、受信手段により受信された複数のカメラアングルに対応する映像の少なくともいずれか１つが選択されるようにしたので、様々なカメラアングルの映像を鑑賞することが可能となる。従って、より一層ＴＶを楽しむことができる。
【００４３】
　請求項８に記載のＡＶシステムによれば、受信手段により受信された、センタより送信される所定の映像に対応する信号に基づいて、送信手段により、センタにＣＡＴＶ回線または電話回線を介して、所定のキー入力情報がテレテキスト形式で送信されるようにしたので、センタとの間で、双方向のデータの送受信を行うことができる。
【００４４】
　請求項９に記載のＡＶシステムによれば、読み出し手段により、所定の記録媒体に記録された番組表データを読み出すようにしたので、読み出した番組表データに基づいて、番組の予約等を行うことができる。
【００４５】
　請求項１０に記載のＡＶシステムによれば、読み出し手段により、予め所定の記録媒体に記録された番組特定番号の情報が読み出され、ＯＳＤ表示手段により、番組特定番号の情報がＯＳＤ表示され、番組選択手段により、番組特定番号の情報の中から所定のものが選択されるようにしたので、簡単な操作で、ビデオプラスによる録画予約を行うことができる。
【００４６】
　請求項１１に記載のＡＶシステムによれば、記録媒体を、フロッピディスク、ＣＤ−ＲＯＭ、オーディオテープ、またはミニディスクとするようにしたので、様々な記録媒体に番組表データを記録することができる。
【発明を実施するための最良の形態】
【００４７】
　図１は、本発明のＡＶシステムを応用したＡＶシステムの一実施例の構成を示すブロック図である。ＡＶシステムは、ＡＶセンタとしてのＴＶ１と、第１ＶＴＲ（ビデオテープレコーダ）２、第２ＶＴＲ４、第３ＶＴＲ３、第４ＶＴＲ６、ビデオチューナ（Ｖ．ＴＵＮＥＲ）５、およびＭＤＰ（マルチディスクプレーヤ）７等の機器より構成される。
【００４８】
　ＴＶ１と第１ＶＴＲ２は、ＴＶ１の入出力端子Ｐ３と第１ＶＴＲ２の入出力端子Ｐ１を介して、ＡＶ信号線８により接続されている。また、第１ＶＴＲ２と第３ＶＴＲ３は、第１ＶＴＲ２の入出力端子Ｐ２と第３ＶＴＲ３の入出力端子Ｐ１を介して、ＡＶ信号線８により接続されている。
【００４９】
　ＴＶ１と第２ＶＴＲ４は、ＴＶ１の入出力端子Ｐ２と第２ＶＴＲ４の入出力端子Ｐ１を介して、ＡＶ信号線８により接続されている。また、第２ＶＴＲ４とＶ．ＴＵＮＥＲ５は、第２ＶＴＲ４の入出力端子Ｐ１とＶ．ＴＵＮＥＲ５の入出力端子Ｐ１を介して、ＡＶ信号線８により接続されている。
【００５０】
　ＴＶ１と第４ＶＴＲ６は、ＴＶ１の入出力端子Ｐ２と第４ＶＴＲ６の入出力端子Ｐ１を介して、ＡＶ信号線８により接続されている。また、第４ＶＴＲ６とＭＤＰ７は、第４ＶＴＲ６の入出力端子Ｐ１とＭＤＰ７の入出力端子Ｐ１を介して、ＡＶ信号線８により接続されている。
【００５１】
　図２に示した実施例においては、図１において、ＴＶ１と各機器を例えばＤ２Ｂバス等のＡＶバス（ＡＶバス信号線）９により、カスケードに接続するようにしている。ＴＶ１はこのＡＶバス９を介して、そこに接続された各機器に制御信号を供給することができるようになされている。
【００５２】
　ＡＶバス９は、例えばＳ−Ｄ２Ｂ（Ｄ２Ｂ−ＶＥＲ２．０）バスからなり、送信データは、図３に示すよう構成となっている。即ち、送信データは、ヘッダフィールド（２乃至４ビット）、マスタアドレスフィールド（ＭＡＦ（１３ビット））、スレーブアドレスフィールド（ＳＡＦ（１４ビット））、コントロールフィールド（ＣＦ（６ビット））、データフィールド（ＤＦ（１１×ｎ（ｎは自然数）））から構成される。
【００５３】
　ヘッダフィールドは、スタートビット（１ビット）とモードビット（１乃至３ビット）からなる。モードビットは転送速度を表しており、０は低速、１０は中速、そして１１０は高速に対応している。
【００５４】
　マスタアドレスフィールドは、マスタアドレスビット（１２ビット）と、パリティビット（Ｐ（１ビット））からなり、マスタアドレスビットには、送信元の機器に固有のアドレスがセットされる。スレーブアドレスフィールドは、スレーブアドレスビット（１２ビット）、パリティビット（１ビット）、アクノリッジビット（Ａ（１ビット））から構成され、スレーブアドレスビットには、送信先の機器アドレスがセットされる。アクノリッジビットは、パリティビットが正しければ、そのアクノリッジ区間に、送信先の機器（スレーブ機器）から、送信元の機器（マスタ機器）に対して、アクノリッジ信号が送信される。
【００５５】
　コントロールフィールドは、コントロールビット（４ビット）、パリティビット（１ビット）、アクノリッジビット（１ビット）からなり、コントロールビットには、フレームの種類がセットされる。データフィールドは、データビット（８ビット）、ＥＯＤ（ＥＮＤ　ＯＦ　ＤＡＴＡ　ＢＩＴ（１ビット））、パリティビット（１ビット）、アクノリッジビット（１ビット）から構成される。
【００５６】
　フレームがコマンドフレームの場合、データフィールドは、図３（ｃ）に示すように、ｔｅｘｔＨＤ（８ビット）、ＨＤＯＰＲ（８ビット）、ＨＤＡＤＲ（８ビット）、ＯＰＣ（８ビット）、およびＯＰＲｎ（８ｎビット）から構成される。これらの後には、ＥＯＤビット、Ｐビット、およびＡビットがそれぞれセットされる。ＥＯＤビットに例えば１がセットされていると、そのデータフィールドは、フレームの最後のデータである。
【００５７】
　ｔｅｘｔＨＤには、Ｄ２Ｂ　ＶＥＲ１．２とＤ２Ｂ　ＶＥＲ２．０とを識別可能にするためのコードがセットされる。ＨＤＯＰＲには、データフィールドの中にセットされるデータの種類（コマンド、状態要求コマンド、返事）を分類するためのコードがセットされる。ＨＤＡＤＲには、送信先の機器のサブデバイスアドレス、即ち、スレーブアドレスにより指定された送信先の機器内での例えば、チューナ、アンプ、またはモニタなどの機器を分類するためのアドレスがセットされる。ＯＰＣには、命令語がセットされる。ＯＰＲｎには、命令語を修飾する複数のオペランドがセットされる。
【００５８】
　図３（ｄ）は、返事データの場合のデータフィールドのフォーマットを示す図である。このように、返事データの場合、データフィールドの最後に、ｔｅｒｍ（ターミネータ）がセットされる。このｔｅｒｍは、返事の種類を示しており、例えば、「完了」、「できなかった」、「処理中」、または「未対応」などに対応する。
【００５９】
　データフィールド以外の構成は、上述した場合と同様であるので、その説明は省略する。
【００６０】
　図４は、図２に示した実施例のより詳細な構成を示すブロック図である。この図においては、ＴＶ１、第１ＶＴＲ２、および第２ＶＴＲ４だけを図示し、その他の構成の図示は省略している。
【００６１】
　ＴＶ１のチューナ１１は例えばＰＬＬ回路からなり、図示せぬＣＡＴＶ回線またはアンテナを介して供給される所定の信号から、所定のチャンネルを選局し、選局したチャンネルに対応する信号を出力するようになされている。
【００６２】
　ＶＩＦ処理部１２は、チューナ１１より供給される映像ＲＦ信号を映像信号（コンポジット信号）に変換し、出力するようになされている。
【００６３】
　ＡＶスイッチ１３は、ＶＩＦ処理部１２より供給される映像信号を後述するビデオ信号処理回路１４、Ｖ区間（垂直帰線消去期間）データ処理回路１５、制御データ挿入回路１６、または制御データ挿入回路１７に供給するようになされている。
【００６４】
　Ｖ区間データ処理回路１５は、ＡＶスイッチ１３より供給される映像信号の垂直帰線消去期間に重畳された文字または図形等からなる番組表データに対応する信号を抽出し、出力するようになされている。
【００６５】
　制御データ挿入回路１６、１７は、ＡＶスイッチ１３より供給された映像信号の垂直帰線消去期間にワイド制御信号を挿入することができる。即ち、ＴＶ１のＣＲＴモニタ２０に表示する際の縦横比サイズの変更を指示することができるようになされている。
【００６６】
　マイコン１８は、例えばＩ2Ｃバス等からなる内部バス２１を介して各部に制御信号を供給するようになされている。
【００６７】
　Ｄ２Ｂマイコン１９は、マイコン１８からの制御信号に従って、所定の制御信号を発生し、それをＡＶバス９を介してＴＶ１に接続された各機器に供給するようになされている。
【００６８】
　ビデオ信号処理回路１４は、ＡＶスイッチ１３より供給された映像信号をＲＧＢに変換し、ＣＲＴモニタ２０に供給する。また、マイコン１８より供給されるＯＳＤ表示データに対応するＲＧＢ信号を発生し、ＣＲＴモニタ２０に供給するようになされている。
【００６９】
　ＣＲＴモニタ２０は、ビデオ信号処理回路１４より供給されるＲＧＢ信号に対応する文字、図形、または映像を表示するようになされている。
【００７０】
　ＣＤ−ＲＯＭ読み取り装置２３は、ＣＤ−ＲＯＭに記録されたデータを読み出すようになされている。
【００７１】
　第２ＶＴＲ４は、制御データ挿入回路３２、デッキ３３、Ｖ区間データ処理回路３４、マイコン３５、およびＩ2Ｃバス等の内部バス３６により構成されている。
【００７２】
　マイコン３５は、内部バス３６を介して、各部に制御信号を供給することができるようになされている。
【００７３】
　Ｖ区間データ処理回路３４は、ＴＶ１の出力端子Ｐ２を介してＴＶ１より供給される映像信号の垂直帰線消去期間に重畳された番組表データを抽出し、アイコン３５に供給するようになされている。
【００７４】
　デッキ３３は、ビデオテープに記録された信号を読み出し、出力することができる。また、ＴＶ１の出力端子Ｐ２より供給される映像信号を入力し、ビデオテープに録画することができるようになされている。
【００７５】
　制御データ挿入回路３２は、マイコン３５の制御により、デッキ３３より供給されるＡＶ信号の垂直帰線消去期間に、例えば表示画面の縦横比サイズを変更させるためのワイド制御信号を重畳し、出力するようになされている。
【００７６】
　例えば、所定の放送センタより、所定のＴＶ番組表に対応する番組表データが、図５に示すように、映像信号のライン１０乃至２１の垂直帰線消去期間に重畳されて送信される。アメリカで実施されているクローズドキャプション放送の場合、文字データは、ライン２１またはライン２８４の垂直帰線消去期間に多重化される。このクローズドキャプション放送においては、図６に示すように、多重化される文字データは、１６ビットのＮＲＺ（ｎｏｎ　ｒｅｔｕｒｎ　ｔｏ　ｚｅｒｏ）データ（データコード）である。データコードを解読するための同期信号である７周期のクロック・ラン・イン信号の周波数は、５０３ＫＨＺであり、クロック・ラン・イン信号とデータコードとは位相が同期している。
【００７７】
　クロック・ラン・イン信号の後には、論理レベル「０」が２ビット分あり、その後に論理レベル「１」のスタートビットが続く。１６ビットデータの内訳は、７ビットのアスキーコードと、１ビットのパリティコードの組み合わせが、２組ある。キャラクタコードは、アスキーコードを基本とし、クローズドキャプション用に文字の属性を指定するコード、または画面を制御するコードが追加されている。
【００７８】
　この信号がＴＶ１のチューナ１１により選局されると、ＶＩＦ処理部１２に供給され、そこで映像信号（ＡＶ信号）に変換された後、ＡＶスイッチ１３に供給される。
【００７９】
　ＡＶスイッチ１３は、マイコン１８からの指令に基づいて、ＶＩＦ処理部１２より供給されたＡＶ信号をＶ区間データ処理回路１５に出力されるように、内部の接続を切り換える。これにより、ＶＩＦ処理部１２より出力された信号は、ＡＶスイッチ１３を介して、Ｖ区間データ処理回路１５に供給される。
【００８０】
　Ｖ区間データ処理回路１５は、そこに供給されたＡＶ信号の垂直帰線消去期間に重畳された番組表データに対応する信号を抽出し、内部バス２１を介してマイコン１８に供給する。マイコン１８は、Ｖ区間データ処理回路１５より供給される番組表データに対応するＯＳＤ表示データを、内部バス２１を介して、ビデオ信号処理回路１４に供給する。
【００８１】
　ビデオ信号処理回路１４はＯＳＤ表示回路を内蔵し、マイコン１８より内部バス２１を介して供給されるＯＳＤ表示データに基づいて、所定の文字または図形に対応するＲＧＢ信号を発生し、ＣＲＴモニタ２０に供給する。これにより、例えば図７に示すような番組表がＣＲＴモニタ２０にＯＳＤ表示される。この番組表には、テレビ局の名称、時刻、および番組名等が表示される。また、ＣＡＴＶなどの有料放送の場合、有料番組の番組名の後に、その料金を表示するようにすることもできる。
【００８２】
　次に、マイコン１８は、図７に示した番組表の所定の欄にカーソルを表示するよう、内部バス２１を介してビデオ信号処理回路１４に指令する。ビデオ信号処理回路１４は、この指令に従って、番組表の所定の欄に例えば矩形カーソルを表示したり、あるいは矩形カーソルの代わりに、番組名が表示されている所定の欄のバックグラウンド色を変化させる。
【００８３】
　リモコン２２には、カーソル移動用釦とクリック釦が内蔵されており、カーソル移動用釦を操作することにより、対応する赤外線が内蔵する発光部より発光される。この赤外線がＴＶ１の内蔵する受光部により受光されると、対応する信号に変換された後、内部バス２１を介してマイコン１８に供給される。
【００８４】
　マイコン１８は、受光部より供給されるこの信号に基づいて、カーソルを移動させるための制御信号を発生し、内部バス２１を介してビデオ信号処理回路１４に供給する。ビデオ信号処理回路１４は、マイコン１８より供給される制御信号に従って、ＣＲＴモニタの所定の位置にカーソルを表示するためのＲＧＢ信号を発生し、ＣＲＴモニタ２０に供給する。
【００８５】
　これにより、番組表の所定の欄に表示されたカーソルが他の欄に移動する。バックグラウンド色を変化させる場合には、移動方向の欄のバックグラウンド色が所定の色（例えば緑）に変更され、移動前の欄のバックグラウンド色が元の色（例えば黒）に変更される。この場合、バックグラウンド色が緑に変更された欄に表示されている番組が、現在選択されていることを示している。
【００８６】
　例えば、最初、番組表のＴＢＳの「ニュース」の欄ａのバックグラウンド色が緑に変更され、他の欄のバックグラウンド色が黒に設定されている状態で、リモコン２２のカーソル移動釦を操作し、カーソルを右に移動させると、ＣＮＮの「バラエティ」の欄ｂのバックグラウンド色が緑に変更され、ＴＢＳの「ニュース」の欄ａのバックグラウンド色が黒に戻される。
【００８７】
　このように、リモコン２２のカーソル移動釦を操作し、ＣＲＴモニタ２０に表示された番組表の所定の欄のバックグラウンド色を、黒から緑に変化させることにより、所定の番組を選択することができる。
【００８８】
　次に、リモコン２２のクリック釦を押すと、上述したように、対応する赤外線がリモコン２２の内蔵する発光部より発光され、ＴＶ１の受光部により受光される。ＴＶ１の受光部により受光された赤外線は、そこで対応する信号に変換された後、マイコン１８に供給される。マイコン１８はこの信号より、番組表の欄ｂに表示されている番組「バラエティ」が録画予約されたものと認識する。
【００８９】
　次に、マイコン１８は、番組表の欄ｂのバックグラウンド色を赤に変化させるよう、内部バス２１を介してビデオ信号処理回路１４に指令する。ビデオ信号処理回路１４は、マイコン１８からの指令に従ってＣＲＴモニタ２０に表示されている番組表の欄ｂのバックグラウンド色を赤に変更する。そして、マイコン１８は、ＣＲＴモニタ２０に、リモコン２２により録画予約された番組を予約してよいかどうかをユーザに問い合わせるメッセージを表示する。
【００９０】
　このメッセージがＣＲＴモニタ２０に表示されると、ユーザは、予約してよければ、リモコン２２の所定の釦を押し、そうでなければリモコン２２の他の所定の釦を押す。これにより、リモコン２２より対応する赤外線が発光部より発光され、ＴＶ１の受光部により受光され対応する信号に変換された後、内部バス２１を介して、マイコン１８に供給される。マイコン１８は、受光部より供給される信号より、録画予約してよいか否かを認識することができる。
【００９１】
　ＴＶ１のマイコン１８が、受光部より供給される信号より、録画予約してもよいと認識した場合、マイコン１８は、例えば第２ＶＴＲ４に対して、図８に示すような一連の制御信号をＡＶバス９を介して供給する。
【００９２】
　まず、ＴＶ１のマイコン１８は、Ｄ２Ｂマイコン１９に、第２ＶＴＲ４にビデオテープが挿入されているか否かを問い合わせるよう指令する。Ｄ２Ｂマイコン１９は、マイコン１８からの指令に従って、ビデオテープが挿入されているか否かを問い合わせる制御信号を発生し、ＡＶバス９を介して第２ＶＴＲ４に送信する。
【００９３】
　ＡＶバス９を介して、Ｄ２Ｂマイコン１９より送信される問い合わせに対応する制御信号は、第２ＶＴＲ４の図示せぬＤ２Ｂマイコンにより受信され、内部バス３６を介してマイコン３５に供給される。マイコン３５は、第２ＶＴＲ４にビデオテープが挿入されている場合、例えば「あり」に対応する返事を、ＴＶ１に送信するようＤ２Ｂマイコンに指令する。第２ＶＴＲ４にビデオテープが挿入されていない場合、例えば「なし」に対応する返事を、ＴＶ１に送信するようＤ２Ｂマイコンに指令する。この場合、Ｄ２Ｂマイコンは、マイコン３５の指令に従って、「あり」に対応する返事を、ＡＶバス９を介してＴＶ１に送信する。
【００９４】
　ＴＶ１のＤ２Ｂマイコン１９は、第２ＶＴＲ４からの返事を受信すると、それを内部バス２１を介してマイコン１８に供給する。マイコン１８は、第２ＶＴＲ４からの返事が「なし」であれば、所定の警告メッセージをＣＲＴモニタ２０に表示させるなどした後、処理を終了する。
【００９５】
　第２ＶＴＲ４からの返事が「あり」であれば、第２ＶＴＲ４に挿入されているビデオテープが、爪折れ（録画禁止、読み出し専用モード）の状態か否かを問い合わせる制御信号を、第２ＶＴＲ４に送信するよう、Ｄ２Ｂマイコン１９に指令する。
【００９６】
　Ｄ２Ｂマイコン１９は、マイコン１８からの指令に従って、第２ＶＴＲ４に挿入されているビデオテープが爪折れの状態か否かを問い合わせる信号を、ＡＶバス９を介して第２ＶＴＲ４に送信する。
【００９７】
　第２ＶＴＲ４により、ＡＶバス９を介してＴＶ１より送信される問い合わせに対応する信号が受信されると、それはＤ２Ｂマイコンを介してマイコン３５に供給される。マイコン３５は、ＡＶバス９を介してＴＶ１より供給される信号に従って、ビデオテープが爪折れの状態である場合、例えば「ＹＥＳ」に対応する返事をＴＶ１に送信するようＤ２Ｂマイコンに指令する。また、ビデオテープが爪折れの状態でない場合、例えば「ＮＯ」に対応する返事をＴＶ１に送信するようＤ２Ｂマイコンに指令する。この場合、爪折れの状態ではないから、「ＮＯ」に対応する返事が、ＡＶバス９を介してＴＶ１のＤ２Ｂマイコン１９に供給される。
【００９８】
　ＴＶ１のＤ２Ｂマイコン１９は、第２ＶＴＲ４よりＡＶバス９を介して送信された返事を受信すると、それを内部バス２１を介してマイコン１８に供給する。マイコン１８は、Ｄ２Ｂマイコン１９より、内部バス２１を介して供給される第２ＶＴＲ４からの返事が「ＮＯ」である場合、チャンネル番号、録画日、録画開始時刻、録画終了時刻等からなる録画予約命令を第２ＶＴＲ４に送信するよう、Ｄ２Ｂマイコン１９に指令する。
【００９９】
　Ｄ２Ｂマイコン１９は、マイコン１８からの指令に従って、チャンネル番号、録画開始時刻、録画終了時刻等からなる録画予約命令を、ＡＶバス９を介して第２ＶＴＲ４に送信する。第２ＶＴＲ４は、Ｄ２Ｂマイコン１９から送信される録画予約命令に従って、録画予約を行う。この場合、図８のＣＮＮの番組「バラエティ」の録画予約を行う。録画予約が終了すると、第２ＶＴＲ４は、返事（「完了」）をＡＶバス９を介してＴＶ１に送信する。この返事は、ＴＶ１により受信され、録画予約は完了する。
【０１００】
　図９は、ＴＶ１に、デコーダ４１を介してＩＣカード読み書き装置４２を接続するようにした場合を示している。デコーダ４１は、所定のインタフェース（ＩＦ）を介してＴＶ１に接続されている。例えば、録画予約した番組が有料番組である場合、デコーダ４１によりそのことが認識され、ＩＣカード読み書き装置４２に所定の制御信号を供給する。ＩＣカード読み書き装置４２は、デコーダ４１課らの制御信号に従って、ＩＣカードのプリペイド領域に記録された料金データを書き換え、それを減額する。また、双方向のＣＡＴＶの場合、ＣＡＴＶ回線４０を介してＣＡＴＶセンタに番組予約情報を送信し、ＣＡＴＶセンタにより課金されるようにすることができる。
【０１０１】
　さらにまた、ＴＶ１にモデムを内蔵するようにし、例えば、衛星放送などでモデムおよび図示せぬ電話線を介してセンタに有料番組の予約を行うような場合、上述したような手順で番組の予約を行うと、ＴＶ１のマイコン１８が自動的にモデムおよび電話線を介して、センタにアクセスし、予約手続きを行うようにすることができる。この場合、センタは、ＴＶ１からの予約手続きに従って、課金処理を行うことができる。
【０１０２】
　また、ＴＶ１に内蔵されたデコーダにスクランブルの鍵がハード的に備え付けられているような場合、ユーザは、一定期間の聴取契約に基づいており、契約期間が切れていなければ、各種有料番組を聴取することができる。また、特定の番組がこの対象ではない場合、ユーザは、電話により口頭で、センタに対して番組の聴取を予約することができる。
【０１０３】
　また、図１、図２に示した実施例においては、ＴＶ１から第２ＶＴＲ４に対して番組の予約を行う場合、ＡＶバス９を介して所定の制御信号を送信するようにしたが、例えば、ＴＶ１より無線により第２ＶＴＲ４に所定の制御信号を送信するようにすることもできる。また、赤外線を用い、所定のリモコンフォーマットでＴＶ１から第２ＶＴＲ４に所定の制御信号を送信するようにすることも可能である。
【０１０４】
　さらには、ＴＶ１および第２ＶＴＲ４にＩＣカード読み書き装置を備えるようにし、上述したような方法で番組予約を行うと、まず、ＴＶ１のマイコン１８の制御により、ＩＣカード読み書き装置が、予約番組に関する番組予約録画情報をＩＣカードに記録する。次に、このＩＣカードを、第２ＶＴＲ４のＩＣカード読み書き装置に挿入する。第２ＶＴＲ４のＩＣ読み書き装置は、ＩＣカードに記録された番組予約情報を読み出し、それをマイコン３５に供給する。マイコン３５は、この情報に基づいて、番組予約処理を行うことができる。
【０１０５】
　ＩＣカードの代わりに、フロッピディスク、光磁気ディスク、または磁気カード等に番組予約情報を書き込むようにすることもできる。そして、第２ＶＴＲ４により、この番組予約情報が読み出され、予約処理が行われることになる。勿論、この場合、ＴＶ１、第２ＶＴＲ４は、フロッピディスク装置、光磁気ディスク装置、または磁気カード読み書き装置を備えるようにする。
【０１０６】
　また、ＴＶ１に、ＣＡＴＶまたは衛星放送などでスクランブルされた番組をデスクランブルして元の信号に戻すデコーダを１つだけ備え、そのデコーダが、所定の放送局のスクランブルされた番組をデスクランブルしている最中は、他のチャンネルのスクランブルされた番組のデスクランブルを行うことがでないような場合、ＴＶ１に接続された複数の録画機器、例えば第１ＶＴＲ２と第２ＶＴＲ４に録画予約された番組を録画するために、ＴＶ１のデコーダが同一時刻に必要とされるか否かを、マイコン１８にチェックさせるようにすることができる。
【０１０７】
　録画予約された番組により、ＴＶ１のデコーダが同一時刻に複数の録画機器により必要とされるような場合、マイコン１８により、警告メッセージがＣＲＴモニタ２０にＯＳＤ表示されるようにすることができる。このようにして、スクランブルされた複数の番組が、複数の録画機器により同一時刻に録画予約されることがないよう、ユーザに注意を促すことができる。
【０１０８】
　次に、例えば、ＴＶ１の出力端子から出力される所定の番組に対応するＡＶ信号が第２ＶＴＲ４に供給され、第２ＶＴＲ４により、番組の録画予約が行われ、録画された番組が再生され、ＴＶ１のＣＲＴモニタ２０に表示される場合の動作について説明する。
【０１０９】
　まず、ＴＶ１のマイコン１８は、リモコン２２からの指令に従って、ＶＩＦ処理部１２から供給されるＡＶ信号が、制御データ挿入回路１７に供給されるように内部のスイッチを切り換えるよう、内部バス１７を介してＡＶスイッチ１３に指令する。ＡＶスイッチは、マイコン１８からの指令に従って、内部のスイッチを切り換える。その結果、ＶＩＦ処理部１２より出力されたＡＶ信号は、制御データ挿入回路１７に供給される。
【０１１０】
　制御データ挿入回路１７に供給されたＡＶ信号は、そこでマイコン１８の制御により、図５に示すように、そのライン２０の垂直帰線消去期間に縦横比を変更して表示させるためのワイド制御信号が重畳された後、ＴＶ１の入出力端子Ｐ２を介して第２ＶＴＲ４に供給される。
【０１１１】
　第２ＶＴＲ４に供給された信号は、Ｖ区間データ処理回路３４に供給され、そこで、垂直帰線消去期間に重畳された文字、図形等の番組表示データ、および縦横比サイズを変更するためのワイド制御信号が抽出される。番組表データは、マイコン３５の制御により、ＮＶＲＡＭ等の記憶部に記憶される。この番組表データは、例えば、第２ＶＴＲ４を直接操作して録画予約を行う場合に、マイコン３５により読み込まれ、ＴＶ１のＣＲＴモニタ２０に表示させるようにすることができる。
【０１１２】
　ＣＲＴモニタ２０に表示された番組表には、マイコン３５の制御によりカーソルが表示される。第２ＶＴＲ４用の図示せぬリモコンを操作することにより、カーソルを移動させ、所定の番組を選択し、クリック釦を押すことにより所定の番組の録画予約を行うことができる。
【０１１３】
　第２ＶＴＲ４のマイコン３５は、録画予約された番組の放送開始時刻になると、その番組のチャンネルを選局し、選局されたチャンネルに対応する信号を第２ＶＴＲ４に供給するようＴＶ１に指示するよう内蔵するＤ２Ｂマイコンに指令する。Ｄ２Ｂマイコンは、マイコン３５からのこの指令をＡＶバス９を介してＴＶ１に送信する。
【０１１４】
　ＴＶ１のＤ２Ｂマイコン１９は、第２ＶＴＲ４のＤ２Ｂマイコンからの指令を受信すると、これを内部バス２１を介してマイコン１８に供給する。マイコン１８は、Ｄ２Ｂマイコン１９から供給される指令に従って、チューナ１１を制御し、指令されたチャンネルを選局させる。そして、チューナ１１よりＶＩＦ処理部１２に供給された信号は、そこでＡＶ信号に変換され、ＡＶスイッチ１３に供給される。
【０１１５】
　次に、マイコン１８は、ＡＶスイッチ１３を制御し、ＡＶスイッチ１３に供給される信号が制御データ挿入回路１７に供給されるようにする。制御データ挿入回路１７に供給された信号は、そこで、ワイド制御信号が挿入された後、ＴＶ１の出力端子Ｐ２を介して、第２ＶＴＲ４に供給される。第２ＶＴＲ４に供給されたＡＶ信号は、デッキ３３およびＶ区間データ処理回路１５に供給される。デッキ３３に供給されたＡＶ信号は、マイコン３５の制御によりそこに挿入されているビデオテープに録画される。
【０１１６】
　Ｖ区間データ処理回路１５に供給されたＡＶ信号から、ワイド制御信号が抽出された場合、マイコン３５の制御により、例えば、第２ＶＴＲ４が８ミリビデオデッキであるとき、ビデオテープの制御トラックにワイド制御信号が記録される。
【０１１７】
　第２ＶＴＲ４のリモコンをユーザが操作することにより、ビデオテープに録画された所定の番組を再生し、ＣＲＴモニタ２０に表示するよう第２ＶＴＲ４に指令すると、最初に、マイコン３５は、ＴＶ１の入力端子Ｐ２に入力されるＡＶ信号が、ＡＶスイッチ１３を介して、ビデオ信号処理回路１４に供給されるよう指示する制御信号を、内蔵するＤ２Ｂマイコンに指令する。Ｄ２Ｂマイコンは、この制御信号を、ＡＶバス９を介してＴＶ１に送信する。
【０１１８】
　ＴＶ１のＤ２Ｂマイコン１９は、第２ＶＴＲ４からのこの制御信号を受信すると、それを内部バス２１を介してマイコン１８に供給する。マイコン１８は、Ｄ２Ｂマイコン１９より供給される制御信号に従って、ＡＶスイッチ１３に対し、入力端子Ｐ２より供給されるＡＶ信号を、ビデオ信号処理回路１４に供給するよう指令する。ＡＶスイッチ１３は、マイコン１８からの指令に従って、内部のスイッチを切り換える。その結果、ＴＶ１の入力端子Ｐ２より入力された信号は、ＡＶスイッチ１３を介してビデオ信号処理回路１４に供給可能となる。
【０１１９】
　次に、マイコン３５に制御されたデッキ３３により、ビデオテープに録画された所定の番組が再生され、再生された番組に対応するＡＶ信号が制御データ挿入回路３２に供給される。
【０１２０】
　制御データ挿入回路３２は、ビデオテープの制御トラックにワイド制御信号が記録されている場合、再生された映像信号の垂直帰線消去期間に、表示画面の縦横比サイズを変更するためのワイド制御信号を重畳し、出力する。
【０１２１】
　第２ＶＴＲ４より出力されたＡＶ信号は、ＴＶ１の入力端子Ｐ２を介してＡＶスイッチ１３に供給される。ＡＶスイッチ１３に供給されたＡＶ信号は、ビデオ信号処理回路１４に供給され、ＲＧＢ信号に変換された後、ＣＲＴモニタ２０に出力される。一方、Ｖ区間データ処理回路によりワイド制御信号が抽出された場合、ビデオ信号処理回路１４は、ＡＶスイッチ１３より供給されるＡＶ信号に対応する映像を、ワイド制御信号に基づいて所定の縦横比サイズの映像に変換して、ＣＲＴモニタ２０に供給することができる。
【０１２２】
　上記実施例においては、番組表データは、映像音声信号に重畳されて送信されるようにしたが、ＣＤ−ＲＯＭ、ＩＣカードなどの記憶媒体に記憶させるようにし、それをＴＶ１のＣＤ−ＲＯＭ読み取り装置２３または図示せぬＩＣカード読み取り装置に読み取らせるようにすることができる。
【０１２３】
　このようにした場合、ＴＶ１は、まず、ＣＤ−ＲＯＭまたはＩＣカードから番組表示用データを読み出し、それをＣＲＴモニタ２０の画面に表示させる。次に、ユーザは、上述した場合と同様にして、リモコン２２を操作し、ＣＲＴモニタ２０の画面に表示されたカーソルを移動させ、所定の番組を選択する。次に、リモコン２２のクリック釦を押すことにより、その番組の予約録画をＴＶ１に指令する。
【０１２４】
　ＴＶ１のマイコン１８は、録画予約された番組のチャンネル番号、放送日、放送開始時刻、放送終了時刻をＡＶバス９を介して例えば第１ＶＴＲ２に送信する。第１ＶＴＲ２は、ＡＶバス９を介して受信したマイコン１８からの信号に従って、録画予約を行うことができる。
【０１２５】
　また、ＩＣカードを用いる場合には、ＴＶ１側で録画予約された番組に対応する情報（チャンネル番号、放送日、放送開始時刻、放送終了時刻）をＩＣカードに記憶させるようにし、それを第１ＶＴＲ２に備えるようにしたＩＣカード読み取り装置に挿入するようにすることができる。これにより、第１ＶＴＲ２は、ＩＣカード読み取り装置により読み取られた番組表データと、録画予約された番組に対応する情報に基づいて、自動的に録画予約を行うことができる。
【０１２６】
　また、所定の数字列からなるビデオプラスの番組データ（Ｇコード予約データ）をＣＤ−ＲＯＭまたはＩＣカードに記録し、事前に配布するようにし、ＴＶ１のＣＤ−ＲＯＭ読み取り装置２３、またはＩＣカード読み取り装置によりそれが読みだされ、ＣＲＴモニタ２０にＯＳＤ表示されるようにすることもできる。そして、マイコン１８の制御により、番組表の所定の位置にカーソルが表示される。
【０１２７】
　ユーザは、ＣＲＴモニタ２０に表示された番組表の中の所望の番組を、リモコン２２のカーソル移動釦を操作し、そこにカーソルを移動させることにより選択し、さらにクリック釦を押すことによりその番組を録画予約するようＴＶ１に指令することができる。
【０１２８】
　このとき、録画予約された番組がＯＳＤ表示されている位置に、所定のマークを表示させたり、番組名が表示されている欄のバックグラウンド色を例えば赤色に変化させるなどして、録画予約の操作をユーザにとって分かりやすいものにすることができる。
【０１２９】
　番組表の代わりに、例えばゴルフ等の実況中継を行う際に、各選手のプロフィール、過去のデータ、選手に関する情報等の付随情報と、そのインデックス情報を、ＴＥＬＥＴＥＸＴフォーマットで映像信号の垂直帰線消去期間に重畳して送信するようにすることができる。付随情報とインデックス情報は、Ｖ区間データ処理回路１５により抽出され、マイコン１８に供給される。マイコン１８は、Ｖ区間データ処理回路１５より送信される付随情報をＮＶＲＡＭ等に記憶させ、図１０に示すように、まず、ＣＲＴモニタ２０にインデックスを表示する。
【０１３０】
　ユーザが、リモコン２２を操作して、インデックスの中から、各選手のプロフィールを表示するサービス１を選択すると、マイコン１８は、各選手のプロフィールをＮＶＲＡＭより、内部バス２１を介して読み出し、それをビデオ信号処理回路１４に供給する。ビデオ信号処理回路１４は、マイコン１８より供給された各選手のプロフィールに対応する文字または図形をＣＲＴモニタ２０所定のウィンドウにＯＳＤ表示する。
【０１３１】
　次に、リモコン２２を操作して、インデックスの中から、各選手の過去の成績データを表示するサービス２を選択すると、上述した場合と同様にして、各選手の過去の成績データが所定のウィンドウに表示される。また、リモコン２２を操作して、各選手に関するその他の情報を表示するサービス３を選択すると、上述した場合と同様にして、各選手に関するその他の情報が所定のウィンドウに表示される。
【０１３２】
　また、放送センタから、ディジタルの映像音声信号を例えばＭＰＥＧ２方式で圧縮して送信し、それを受信したＴＶ１がそれを復調するような方式の場合、従来の１チャンネル分の周波数帯域（例えば６ＭＨＺ）で、２乃至３チャンネル分の映像音声信号を送信することができる。従って、従来の１チャンネル分の周波数帯域により、複数のカメラアングルに対応する映像音声信号を送信するようにすることができる。
【０１３３】
　例えば２つのカメラアングルに対応する映像音声信号を受信したＴＶ１は、マイコン１８の制御により、ＣＲＴモニタ２０の下部に選択項目「カメラ１」、「カメラ２」、および「カメラ１＆２」をＯＳＤ表示する。そして、ユーザが、リモコン２２の所定の釦を操作して選択項目の中の所定のものを選択することにより、図１１（ａ）に示すように、カメラ１による映像をＣＲＴモニタ２０の全画面に表示したり、図１１（ｂ）に示すようにカメラ２による映像をＣＲＴモニタ２０の全画面に表示したり、あるいは図１１（ｃ）に示すように、カメラ１およびカメラ２により撮影された映像をＣＲＴモニタ２０の左右に分割して表示することができる。
【０１３４】
　また、アナログの圧縮されていない通常の放送においても、複数（この場合２つ）のチャンネルにより、複数（２つ）のカメラアングルに対応する映像音声信号を送信するようにすることができる。その映像音声信号を受信したＴＶ１は、ユーザによるリモコン２２の操作により、複数のカメラアングルに対応する映像を、図１１（ａ）乃至図１１（ｃ）のいずれかに示す方法で、ＣＲＴモニタ２０に表示することができる。
【０１３５】
　上述した番組表データ、および付随情報は、ＣＡＴＶ回線または電波を介して、ＴＶ１により映像信号とともに受信されるものとしたが、例えば、ＣＤ−ＲＯＭ、フロッピディスク、またはＩＣカードなどの比較的安価な記憶媒体に記憶させるようにすることも可能である。そして、ＴＶ１は、映像信号を従来通り、ＣＡＴＶ回線または電波により受信し、番組表データまたは付随情報を、ＣＤ−ＲＯＭ、フロッピディスク、またはＩＣカードから所定の読み出し装置を介して読み出すようにすることができる。
【０１３６】
　ＣＤ−ＲＯＭ、フロッピディスク、またはＩＣカードから所定の読み出し装置を介して読み出された情報は、例えば、ＶＰＳサービスなどにより送信される時刻データ、ＴＥＬＥＴＥＸＴなどにより送信される時刻データ、放送局から所定の時刻に送信される時刻データ、放送局から放送開始時に送信される開始マーカ、ＴＶ１内に予め備え付けられた時計、またはユーザによる時刻指示により、所定の時刻に記録媒体に記録されている所定のデータを読み出し、放送局から送信される映像音声信号に同期させて、ＣＲＴモニタ２０の画面に所定の映像とそれに対応するＯＳＤ文字を重ね合わせて表示させることができる。
【０１３７】
　また、上述したように、複数のカメラアングルに対応する映像音声信号を受信したＴＶ１は、所定のカメラアングルの映像に対応する映像信号をＣＲＴモニタ２０に出力し、表示させ、他のカメラアングルの映像に対応する映像信号を例えば出力端子Ｐ２より出力し、第２ＶＴＲ４に録画させるようにすることができる。第２ＶＴＲ４に録画された映像は、第２ＶＴＲ４のリモコン等を操作することにより再生し、ＣＲＴモニタ２０に表示させることができる。
【０１３８】
　また、複数のカメラアングル（この場合、カメラアングル１およびカメラアングル２）に対応する映像信号を、複数のＶＴＲ（例えば、第１ＶＴＲ２および第２ＶＴＲ４）にそれぞれ録画させるようにすることもできる。即ち、ＴＶ１に所定の操作メニューをＯＳＤ表示し、リモコン２２を操作することにより、カメラアングル１に対応する映像信号を第１ＶＴＲ２に録画させ、カメラアングル２に対応する映像信号を第２ＶＴＲ４に録画させることができる。
【０１３９】
　このとき、ＴＶ１のマイコン１８は、まず、ＡＶスイッチ１３を制御し、カメラアングル１に対応する映像信号が出力端子Ｐ３を介して第１ＶＴＲ２に供給されるようにし、カメラアングル２に対応する映像信号が出力端子Ｐ２を介して、第２ＶＴＲ４に供給されるようにする。そして、ＡＶバス９を介して、第１ＶＴＲ２を制御し、そこに供給されるカメラアングル１に対応する映像信号を録画させるようにすることができる。同様に、ＡＶバス９を介して、第２ＶＴＲ４を制御し、そこに供給されるカメラアングル２に対応する映像信号を録画させるようにすることができる。
【０１４０】
　図１２は、ＴＶ１により、所定の放送センタに対して、チケットまたは商品を発注する方法を示す図である。例えば、ＣＡＴＶ回線、地上波、または放送衛星若しくは通信衛星からの電波を介して送信される映像音声信号および文字図形情報をＴＶ１が受信し、それをＣＲＴモニタ２０に表示することができる。
【０１４１】
　例えば、サッカーの観覧席予約を行うような場合、放送センタのデータベースより、実際の競技場の映像が検索され、対応する映像音声信号が放送局５２に供給される。放送局５２は、データベース５１より供給される映像音声信号、およびサッカーの観覧席の予約をするための予約画面に対応する文字図形データを、ＣＡＴＶ回線、地上波、または放送衛星若しくは通信衛星の電波を介して送信する。
【０１４２】
　ＴＶ１は、放送局５２より送信されるこれらの信号を受信すると、所定の競技場に対応する映像と予約画面に対応する所定の文字を、ＣＲＴモニタ２０に重ね合わせて表示する。
【０１４３】
　また、各観覧席から競技場を観覧した場合の静止画とその観覧席の番号が、所定の間隔で繰り返し、放送局から送信されるようにする。そして、ユーザがリモコン２２により、希望する観覧席に対応する番号を入力すると、ＴＶ１は、放送局５２より送信されるその番号に対応する観覧席の静止画を受信し、それをＣＲＴモニタ２０に表示する。
【０１４４】
　これにより、ユーザは、実際に希望する観覧席に行ったような雰囲気を感じさせる映像を見ることができる。そして、ＣＲＴモニタ２０に表示された観覧席の状況が希望するものであれば、リモコン２２のクリック釦を押す。クリック釦が押されると、マイコン１８の制御により所定の発注情報に対応する信号が、モデム５４、電話回線５５を介してデータベース５１に送信される。この信号を受信したデータベースは、その観覧席の予約処理を行う。このようにして、希望する観覧席の予約を行うことができる。同様にして、野球、映画、演劇、またはコンサートなどの会場、球場または劇場等の座席の予約を行うことができる。
【０１４５】
　また、例えば、自動車のオークションなどにも応用することができる。即ち、放送局より送信される自動車の一覧表の中から、所定の自動車を選択すると、その自動車に関する映像がＣＲＴモニタ２０に表示され、その映像に基づいて、発注を行うようにすることができる。
【０１４６】
　上述した方法によると、例えば、同時に複数のユーザがデータベース５１にアクセスしたような場合でも、各ユーザ側の端末（ＴＶ）のＣＲＴモニタに表示される映像（静止画）は、放送局５２から送信される複数の映像（例えば、全サッカー場の映像）の中から、各ユーザが所定の映像を選択して表示しているだけなので、各ユーザのＴＶには、異なる映像を表示することができる。また、映像信号に重畳された文字図形情報についても同様である。
【０１４７】
　電話回線５５を介してデータベース５１に接続されたＴＶ１等の各端末から、データベース５１へのデータ送信は、ポーリング法、周波数分割法、またはパケット送信法により行うことができる。ポーリング法は、データベース５１が、各端末からのデータ受信を時分割で処理する方法であり、周波数分割法は、各端末からデータベース５１へデータを送信する送信チャンネルを周波数分割し、所定の周波数を各端末に割り当てるようにする方法であり、各端末は、自分に割り当てられた周波数により、データの送信を行うことができる。
【０１４８】
　また、パケット送信法は、各端末が自分のＩＤを付加したメッセージからなる電文を同一チャンネルでデータベース５１に送信し、データベース５１は、受信した電文のＩＤからどの端末から送信された電文であるかを認識し、端末毎に電文を分類するようにする方法である。
【０１４９】
　図１３は、図１２の場合とは異なり、放送局５２からＴＶ１へＣＡＴＶ回線６６を介して映像信号を送信し、ＴＶ１から放送局５２へＣＡＴＶの上り回線６７を介してデータを送信するようにした場合の図である。光ファイバが普及してくると、このような構成のシステムが今後の主流になると思われる。その他の構成および動作は、図１２の場合と同様であるのでその説明は省略する。
【０１５０】
　このようにして、自宅に居ながらにして、そこに行ったような雰囲気で各種のチケットを発注したり、商品の映像を見ながらそれを発注することができる。
【０１５１】
　また、通信販売で定期的に発注するような商品、例えば食料品、衣料品、化粧品などの商品を発注する場合、データベース５１の発注ページに簡単にアクセスするために、チャンネル番号、アクセスページ、およびキーワード等をＮＶＲＡＭ等に記憶させるようにすることができる。さらに、パスワード、その他必要な情報、およびパスワード転送手順などをＮＶＲＡＭに記憶させるようにすることができる。各アクセスページ毎にアクセス手順が異なるような場合には、各アクセスページ毎にアクセス手順を記憶させる。そして、所定の中ページに対応する短縮番号を設定しておく。
【０１５２】
　これにより、ユーザがリモコン２２により所定の短縮番号を入力すると、その短縮番号に対応づけられた発注ページに、ＴＶ１が自動的にアクセスし、それをＣＲＴモニタ２０に表示させるようにすることができる。
【０１５３】
　図１４は、ＴＶ１のマイコン１８とＤ２Ｂマイコン１９の一実施例の構成を示すブロック図である。図２においては、ＯＳＤ表示部は、ビデオ信号処理回路１４に設けるようにしたが、この実施例においては、一般的なＴＶの選局およびリモコンを制御するマイコンと同様に、マイコンの内部にＯＳＤ表示用の回路を内蔵するようにしている。また、各種のＩＯ機能を内蔵するようにしている。
【０１５４】
　リモコン受信部７１は、リモコン２２が操作され、内蔵する発光部より発光された赤外線を受信するようになされている。
【０１５５】
　ＯＳＤ表示制御処理部７２は、内蔵するＯＳＤ表示機能部７３を制御し、ＣＰＵ内部バス７０を介して供給されるＯＳＤ表示用データに対応するフォントデータをフォントＲＯＭ７４より読み出し、対応するＲＧＢ信号をＣＲＴモニタ２０に供給するようになされている。
【０１５６】
　ＲＯＭ７７は、システムプログラムまたはアプリケーションプログラムを記憶するようになされている。このアプリケーションプログラムは、例えばリモコン２２から送信され、リモコン受信部７１により受信されたリモコンデータを分析するリモコンデータ分析処理ルーチン等より構成される。ＲＡＭ７６は、ＲＯＭ７７に記憶されているアプリケーションプログラムを展開するようになされている。アキュムレータ７５は、ＲＯＭ７７またはＲＡＭ７５に記憶されている所定のプログラムに従って、所定の演算処理を行うようになされている。
【０１５７】
　ＰＩＯ制御処理部７８は、内蔵するＰＩＯ回路７９を制御し、パラレルインタフェース（ＩＦ）８０を介してデータの入出力を行うようになされている。
【０１５８】
　ＳＩＯ制御処理部８１は、内蔵するＳＩＯ回路８１を制御し、シリアルＩＦ８３を介して、シリアルＩＦ８３に接続された所定のＩＣ、例えば、ＮＶＲＡＭ、映像処理ＩＣ、ＡＶスイッチ、音声制御ＩＣ等との間で、データの入出力を行うようになされている。
【０１５９】
　割り込み制御処理部８５は、内蔵する割り込み制御回路８６を制御し、例えばリモコン受信部７１がリモコン２２からの赤外線を受信すると、割り込みを発生し、ＲＯＭ７７またはＲＡＭ７６の所定の処理ルーチンに割り込み処理を行わせるようになされている。
【０１６０】
　タイマ処理部８７は、タイマ信号を発生し、各部に供給するようになされている。
【０１６１】
　ＳＩＯ制御処理部８８は、内蔵するＳＩＯ回路８９を制御し、シリアルＩＦ９０を介して、Ｄ２Ｂマイコン１９のシリアルＩＦ９１を介して、データの送受信を行うようになされている。
【０１６２】
　Ｄ２Ｂマイコン１９のＳＩＯ制御処理部９２は、内蔵するＳＩＯ回路９３を制御し、シリアルＩＦ９１を介して、マイコン１８との間でデータの送受信を行うようになされている。
【０１６３】
　ＲＯＭ９６は、システムプログラムまたはアプリケーションプログラムを記憶するようになされている。ＲＡＭ９５は、ＲＯＭ９６に記憶されているアプリケーションプログラムを展開するようになされている。
【０１６４】
アキュムレータ９４は、ＲＯＭ９６またはＲＡＭ９５に記憶されている所定のプログラムに従って、所定の演算処理を行うようになされている。
【０１６５】
　割り込み制御処理部９７は、内蔵する割り込み制御回路９８を制御し、シリアルＩＦ９１にデータが供給されるなどして、所定の割り込みが発生したとき、ＲＯＭ９６またはＲＡＭ９５に記憶されている所定の処理ルーチンに割り込み処理を行わせるようになされている。
【０１６６】
　タイマ処理部９９は、所定のタイマ信号を発生し、ＣＰＵ内部バス１０８を介して、各部に供給するようになされている。
【０１６７】
　ＳＩＯ制御処理部１００は、内蔵するＳＩＯ回路１０１を制御し、シリアルＩＦ１０２を介して、データの送受信を行うようになされている。ＰＩＯ制御処理部１０３は、内蔵するＰＩＯ回路１０４を制御し、パラレルＩＦ１０５を介して、所定の制御信号を出力するようになされている。
【０１６８】
　Ｄ２Ｂ通信用ＩＣ１０６は、パラレルＩＦ１０５より供給される制御信号を、Ｄ２Ｂバス等のＡＶバス９を介して、他のＡＶ機器１０７に送信するようになされている。
【０１６９】
　次に、その動作を説明する。例えば、ユーザがリモコン２２を操作し、ＴＶ１に接続されている例えば第２ＶＴＲ４に、いまＴＶ１のＣＲＴモニタ２０に表示されている映像（例えば、チューナ１１により選局されたチャンネルに対応する映像）を録画させるよう、ＴＶ１に指令する。この場合、ユーザにより、リモコン２２が操作されると、リモコン２２はその操作に対応するリモコンデータを発生し、リモコンデータに対応する例えば赤外線が、内蔵する発光部より発光される。
【０１７０】
　リモコン２２から発光される赤外線は、マイコン１８のリモコン受信部７１により受信される。リモコン受信部７１により、リモコン２２からの赤外線が受信されると、対応する信号に変換され、ＣＰＵ内部バス７０を介して割り込み制御処理部８５に供給される。
【０１７１】
　割り込み制御処理部８５は、所定の処理ルーチンに制御を移し、処理ルーチンは、ＣＰＵ内部バス７０を介して、リモコン受信部７１より供給された信号に基づいて、まず、ＡＶスイッチ１３に対し、ＶＩＦ処理部１２より供給される映像信号が、制御データ挿入回路１７に供給されるよう指示する制御信号を供給するよう、ＣＰＵ内部バス７０を介してＳＩＯ制御処理部８１に指令する。
【０１７２】
　ＳＩＯ制御処理部８８は、処理ルーチンによる指令に従って、内蔵するＳＩＯ回路８９を制御し、ＶＩＦ処理部１２より供給される映像信号が、制御データ挿入回路１７に供給されるよう内部のスイッチを切り換えるようＡＶスイッチ１３に指示する制御信号を、シリアルＩＦ９０、内部バス２１を介して、ＡＶスイッチ１３に供給する。
【０１７３】
　ＡＶスイッチ１３は、マイコン１８からの制御信号に従って、内部のスイッチを切り換える。その結果、ＶＩＦ処理部１２よりＡＶスイッチ１３に供給される映像信号は、ビデオ信号処理回路１４を介してＣＲＴモニタ２０に供給されるとともに、制御データ挿入回路１７に供給される。制御データ挿入回路１７に供給された映像信号は、マイコン１８の制御によりワイド制御信号が挿入され、出力端子Ｐ２を介して第２ＶＴＲ４に供給される。第２ＶＴＲ４に供給されたこの映像信号は、Ｖ区間データ処理回路３４およびデッキ３３に供給される。
【０１７４】
　また、マイコン１８の所定の処理ルーチンの制御により、ＴＶ１の出力端子Ｐ２に接続されている第２ＶＴＲ４に、ＴＶ１の出力端子Ｐ２より供給される映像信号を録画するよう指示する制御信号が、ＳＩＯ制御処理部８８に供給される。ＳＩＯ制御処理部８８は、内蔵ＳＩＯ回路８９を制御し、この制御信号をシリアルＩＦ回路９０、内部バス２１、シリアルＩＦ９１を介して、Ｄ２Ｂマイコン１９のＳＩＯ制御処理部９２に制御された内蔵ＳＩＯ回路９３に供給する。
【０１７５】
　ＳＩＯ制御処理部９２に制御された内蔵ＳＩＯ回路９３は、マイコン１８より供給された制御信号をＣＰＵ内部バス１０８を介して、割り込み制御処理部９７に供給される。割り込み制御処理部９７は、ＲＯＭ９６またはＲＡＭ９５に記憶されている所定の処理ルーチンに制御を移す。処理ルーチンの制御により、ＳＩＯ制御処理部９２より出力される制御信号に従って、ＴＶ１の出力端子Ｐ２に接続されている第２ＶＴＲ４に、ＴＶ１の出力端子Ｐ２より供給される映像信号を録画するよう指示する一連の制御信号が発生し、それらの制御信号がＰＩＯ制御処理部１０３に順次供給される。
【０１７６】
　ＰＩＯ制御処理部１０３は、この制御信号を内蔵するＰＩＯ回路１０４、パラレルＩＦ１０５を介してＤ２Ｂ通信用ＩＣ１０６に供給する。Ｄ２Ｂ通信用ＩＣ１０６は、パラレルＩＦ１０５より供給される制御信号をＤ２Ｂバス（ＡＶバス）９を介して、第２ＶＴＲ４の内蔵するＤ２Ｂマイコンに供給する。
【０１７７】
　第２ＶＴＲ４の内蔵するＤ２Ｂマイコンに供給された制御信号は、内部バス３６を介して、マイコン３５に供給される。一方、ＴＶ１の出力端子Ｐ２より供給される映像音声信号は、デッキ３３に供給される。そして、マイコン３５は、Ｄ２Ｂマイコンより供給される制御信号に基づいて、デッキ３３に対し制御信号を供給する。デッキ３３は、マイコン３５からの制御信号に従って、そこに挿入されているビデオテープに、ＴＶ１の出力端子Ｐ２より供給される映像音声信号を録画する。
【０１７８】
　図１５は、図２に示した実施例におけるＴＶ１において、ＡＶ信号の信号経路を説明するためのブロック図である。
【０１７９】
　チューナ（地上波ビデオチューナ）１１またはＢＳ−チューナ１１１により選局された映像ＲＦ信号は、ＶＩＦ処理部１２または１１２において映像信号（コンポジット信号）に変換され、ＡＶスイッチ１３を介して、信号処理ＩＣ１１３に供給される。信号処理ＩＣ１１３に供給された映像信号は、そこでＲＧＢ信号に変換され、色、明るさ、先鋭度等が調節された後、加算器１１６に供給される。また、オーディオ信号もＡＶスイッチ１３を介して信号処理ＩＣ１１３に供給され、そこで、音量、または音質等が調節される。信号処理ＩＣ１１３によるこれらの処理は、ＴＶマイコン（マイコン）１８からの制御に基づいて行われる。
【０１８０】
　ＴＶマイコン１８より出力されるＯＳＤ表示信号は、ＯＳＤ表示部１１７に供給される。ＯＳＤ表示部１１７により、ＴＶマイコン１８より供給されるＯＳＤ表示信号に対応するＲＧＢ信号が発生され、加算器１１６に供給される。また、Ｄ２Ｂマイコン１９よりＯＳＤ表示部１１８にＯＳＤ表示信号が供給されると、ＯＳＤ表示部１１８により、このＯＳＤ表示信号に対応するＲＧＢ信号が発生され、加算器１１６に供給される。
【０１８１】
　ＡＶスイッチ１３より、信号処理ＩＣ１１４に供給されたコンポジット信号（映像信号）は、信号処理ＩＣ１１４においてＲＧＢ信号に変換され、ＰｉｎＰ（ピクチャインピクチャ）用信号変換回路１１５に供給される。ＰｉｎＰ用信号変換回路に供給されたＲＧＢ信号は、そこで、ＰｉｎＰ用の映像信号に変換された後、ＣＲＴモニタ２０に供給される。
【０１８２】
　加算器１１６に供給された信号処理ＩＣ１１３からのＲＧＢ信号と、ＯＳＤ表示部１１７，１１８からのＲＧＢ信号は、そこで重ね合わせられて、ＰｉｎＰ用信号変換回路１１５からのＲＧＢ信号とともにＣＲＴモニタ２０に供給される。また、オーディオ信号は、図示せぬスピーカに供給される。
【０１８３】
　Ｄ２Ｂマイコン１９より、ＴＶ１に接続された例えば第１ＶＴＲ２を制御するための制御信号が、Ｄ２Ｂ通信用ＩＣ１０６に供給されると、Ｄ２Ｂ通信用ＩＣ１０６により、この制御信号はＡＶバス９を介して、第１ＶＴＲ２に送信される。
【０１８４】
　なお、上記実施例において、ＴＶ１が受信した映像信号から、Ｖ区間データ処理回路１５により抽出された番組表データを、ＡＶバス９を介して、システム内の他の機器またはＡＶバス９で接続されたパソコン等に転送するようにすることができる。これにより、システム内の他の機器またはパソコンは、映像信号に重畳された番組表データを抽出する機能を備えていなくても、ＴＶ１よりＡＶバスを介して供給される番組表データに基づいて、機器側の表示パネルまたはＴＶ１内のＣＲＴモニタ２０により、ユーザに録画予約を行わせることができる。
【０１８５】
　また、上記実施例においては、ＣＲＴモニタ２０にカーソルを表示し、それをリモコン等で移動させ、番組表の中の所定の番組を選択するようにしたが、タッチパネル等による選択、または音声による選択を行うようにすることができる。
【０１８６】
　さらには双方向のリモコンを用いて、ＴＶ１からＣＲＴモニタ２０に表示されている画面に関する文字、図形または映像情報をリモコン側に送信し、リモコン側がこの画面に関する情報を例えば内蔵する比較的大きな画面サイズの液晶パネルに表示し、その画面をリモコン側で操作するようにすることができる。そして、リモコン側の操作により書き換えられた画面情報はＴＶ１に送信され、ＴＶ１はリモコン１より送信される画面情報に従って、ＣＲＴモニタ２０に表示されている画面を書き換えるようにすることができる。
【０１８７】
　また、上記実施例においては、垂直帰線消去期間に重畳して送信される番組表データ、所定の商品の静止画、または予約観覧席の映像等を受信するようにしたが、それ以外に、例えば、ＴＶ１に接続された各ＡＶ機器に対する所定のコマンド、例えばビデオプリンタに対する印刷命令等を受信し、その印刷命令に従って、ＴＶ１に接続されたビデオプリンタが、ＣＲＴモニタ２０に表示されている画面、放送センタから送信される画像データ、または文字図形データ等をプリントアウトするようにすることができる。例えば、上記実施例を応用した通信教育などで、宿題等をプリントアウトさせることができる。
【０１８８】
　これにより、所定の放送センタから、各家庭に設置されたＴＶ１に対する１回のデータ送信で、各家庭に設置されたすべてのＴＶ１に接続されたビデオプリンタに、所定の映像、または文字図形データをプリントアウトさせることができる。その際、プリンタの用紙が切れていたり、ＴＶ１にプリンタが備えられていない場合には、ＴＶ１のＮＶＲＡＭ等のメモリに記憶させるようにすることもできる。
【０１８９】
　さらに、圧縮ディジタル信号からなる映像信号を再生するレーザディスクプレーヤをＴＶ１に接続し、複数の付随情報（例えば多国語の楽譜、詩など）をレーザディスクに記録し、その中から所定のものを選択してＣＲＴモニタ２０に表示させるようにすることができる。これにより１枚のレーザディスクで、複数語によるサービスを行うことができる。
【図面の簡単な説明】
【０１９０】
【図１】本発明のＡＶシステムの一実施例の構成を示すブロック図である。
【図２】図２のＡＶシステムにおいて、ＴＶ１と各機器とをＡＶバス９で接続するようにした図である。
【図３】Ｓ−Ｄ２Ｂによる送信データのフォーマットを示す図である。
【図４】本発明のＡＶシステムの一実施例の構成を示すブロック図である。
【図５】垂直帰線消去期間に重畳された制御データの例を示す図である。
【図６】クローズドキャプションの放送方式を示す図である。
【図７】ＣＲＴモニタ２０に表示される番組表の例を示す図である。
【図８】ＴＶ１から各機器にＡＶバス９を介して送信される制御信号の送信手順を示す図である。
【図９】ＴＶ１にＩＣカード４２を接続するようにした図である。
【図１０】ＴＥＬＥＴＥＸＴフォーマットで送信される付随情報を表示した画面を示す図である。
【図１１】複数のカメラアングルによる映像を画面に表示する方法を示す図である。
【図１２】ＴＶ１に、放送センタ５１へ電話回線５５を介してデータ送信を行う送信部５３を備えるようにした図である。
【図１３】ＴＶ１に、放送局５２へ、ＣＡＴＶの上り回線６７を介してデータ送信を行う送信部６３を備えるようにした図である。
【図１４】マイコン１８の内部構成を示すブロック図である。
【図１５】ＴＶ１内のＡＶ信号の信号経路を示すブロック図である。
【符号の説明】
【０１９１】
　１　ＡＶセンタ
　２　第１ＶＴＲ
　３　第３ＶＴＲ
　４　第２ＶＴＲ
　５　Ｖ．ＴＵＮＥＲ
　６　第４ＶＴＲ６
　７　ＭＤＰ
　８　ＡＶ信号線
　９　ＡＶバス
　１１　チューナ
　１２　ＶＩＦ処理部
　１３　ＡＶスイッチ
　１４　ビデオ信号処理回路
　１５　Ｖ区間データ処理回路
　１６，１７　制御データ挿入回路
　１８　マイコン
　１９　Ｄ２Ｂマイコン
　２０　ＣＲＴモニタ
　２１　内部バス（Ｉ2Ｃバス）
　２２　リモコン
　２３　ＣＤ−ＲＯＭ読み取り装置
　３２　制御データ挿入部
　３３　デッキ
　３４　Ｖ区間データ処理回路
　３５　マイコン
　３６　内部バス
　４０　ＣＡＴＶ回線
　４１　デコーダ
　４２　ＩＣカード
　５１　放送センタ（データベース）
　５２　放送局
　５３　送信部
　５４　モデム
　５５　電話回線
　６３　送信部
　６６　ＣＡＴＶ回線
　６７　ＣＡＴＶ上り回線
　７０　ＣＰＵ内部バス
　７１　リモコン受信部
　７２　ＯＳＤ表示制御処理部
　７３　内蔵ＯＳＤ表示機能部
　７４　フォントＲＯＭ
　７５　アキュムレータ
　７６　ＲＡＭ
　７７　ＲＯＭ
　７８　ＰＩＯ制御処理部
　７９　内蔵ＰＩＯ
　８０　パラレルＩＦ
　８１　ＳＩＯ制御処理部
　８２　内蔵ＳＩＯ
　８３　シリアルＩＦ
　８４　他のＩＣ
　８５　割り込み制御処理部
　８６　内蔵割り込み制御回路
　８７　タイマ制御部
　８８　ＳＩＯ制御処理部
　８９　内蔵ＳＩＯ
　９０，９１　シリアルＩＦ
　９２　ＳＩＯ制御処理部
　９３　内蔵ＳＩＯ
　９４　アキュムレータ
　９５　ＲＡＭ
　９６　ＲＯＭ
　９７　割り込み制御処理部
　９８　内蔵割り込み制御回路
　９９　タイマ回路
　１００　ＳＩＯ制御処理回路
　１０１　内蔵ＳＩＯ
　１０２　シリアルＩＦ
　１０３　ＰＩＯ制御処理回路
　１０４　内蔵ＰＩＯ回路
　１０５　パラレルＩＦ
　１０６　Ｄ２Ｂ通信用ＩＣ
　１０７　他のＡＶ機器
　１１１　ＢＳ−チューナ
　１１２　ＶＩＦ処理部
　１１３，１１４　信号処理ＩＣ
　１１５　ＰＩＰ信号変換回路
　１１６　加算器
　１１７，１１８　ＯＳＤ表示部
【図１】
2004135356.tif 000003
【図２】
2004135356.tif 000004
【図３】
2004135356.tif 000005
【図４】
2004135356.tif 000006
【図５】
2004135356.tif 000007
【図６】
2004135356.tif 000008
【図７】
2004135356.tif 000009
【図８】
2004135356.tif 000010
【図９】
2004135356.tif 000011
【図１０】
2004135356.tif 000012
【図１１】
2004135356.tif 000013
【図１２】
2004135356.tif 000014
【図１３】
2004135356.tif 000015
【図１４】
2004135356.tif 000016
【図１５】
2004135356.tif 000017